(57)【要約】【課題】被介護者の排泄及び食事に関する情報を視覚的にわかりやすく記録、表示して、的確に把握することが可能な介護記録装置を提供する。【解決手段】  タッチパネル１０４上に、オムツ画像を表示するオムツ表示領域１４０Ａと、排泄の量を示すイラスト等による複数のアイコン１４２を表示するアイコン表示領域１４０Ｂと、を含む排泄状態表示記録領域１４０の表示を制御する表示制御手段と、アイコン表示領域１４０Ｂに表示されたアイコン１４２のうち、少なくとも一のアイコン１４２の選択を受け付ける手段と、選択されたアイコン１４２について、オムツ表示領域１４０Ａに表示されたオムツ画像上への配置を受け付ける手段を有する。アイコン１４２の配置を受け付けると、表示制御手段はオムツ表示領域１４０Ａに排泄後オムツ画像を表示し、かつ、記録手段１０６は排泄後オムツ画像等を被介護者情報ごとに対応付けて記録する。【選択図】図２
2018147104.tif 000002
【特許請求の範囲】
【請求項１】
被介護者の排泄に関する情報を記録する記録手段を備える介護記録装置であって、
タッチパネルの表示画面上に、オムツ画像を表示するオムツ表示領域と、排泄の量を示すイラスト又は画像による複数のアイコンを表示するアイコン表示領域と、を含む排泄状態表示記録領域を構成し、当該排泄状態表示記録領域の表示を制御する表示制御手段と、
前記タッチパネルの前記アイコン表示領域に表示された複数の前記アイコンのうち、少なくとも一のアイコンの選択を前記タッチパネル上で受け付ける選択受付手段と、
前記選択受付手段にて選択されたアイコンについて、前記オムツ表示領域に表示された前記オムツ画像上への配置を前記タッチパネル上で受け付ける配置受付手段と、を有し、
前記配置受付手段にて前記アイコンの配置を受け付けると、
前記表示制御手段は、前記タッチパネルの前記オムツ表示領域に、前記アイコンが配置された後のオムツである排泄後オムツ画像を表示し、かつ、
前記記録手段は、当該排泄後オムツ画像と、オムツ替え対応した時間を示す時刻情報と、を排泄記録情報として、前記被介護者を示す被介護者情報ごとに対応付けて記録することを特徴とする介護記録装置。
【請求項２】
複数のオムツの種類を、当該オムツを開いた状態の前記オムツ画像と夫々対応付けて記憶するオムツ種記憶手段と、
排泄記録対象の前記被介護者が着用するオムツの種類の入力を前記タッチパネル上で受け付けるオムツ種入力受付手段を有し、
前記オムツ種入力受付手段によりオムツの種類の入力を受け付けると、
前記表示制御手段は、前記オムツ種記憶手段を参照して、前記オムツ表示領域に、受け付けた種類のオムツの前記オムツ画像を表示することを特徴とする請求項１に記載の介護記録装置。
【請求項３】
各前記アイコンが示す排泄の量を、各前記アイコンに対応づけて記憶する排泄量記憶手段と、
前記排泄量記憶手段を参照して、前記選択受付手段にて選択された前記アイコンに対応する排泄量を算出する排泄量算出手段と、を有し、
前記表示制御手段は、前記排泄後オムツ画像と共に、前記排泄量算出手段により算出された排泄量を表示し、
前記記録手段は、前記排泄後オムツ画像に対応付けて、前記排泄量算出手段により算出された排泄量を記録することを特徴とする請求項１又は２に記載の介護記録装置。
【請求項４】
前記排泄が軟便又は血便又は血尿であることの記録を前記タッチパネル上で受け付ける排泄状態情報記録受付手段を有し、
前記排泄状態情報記録受付手段にて軟便の記録を受け付けると、
前記表示制御手段は、前記排泄後オムツ画像に配置されたアイコンを軟便状態を示す軟便状態表示画像に変更し、かつ、
前記記録手段は、変更後の前記排泄後オムツ画像を記録し、
前記排泄状態情報記録受付手段にて血便又は血尿の記録を受け付けると、
前記表示制御手段は、前記排泄後オムツ画像に配置されたアイコンを血便又は血尿を示す血便血尿表示画像に変更し、かつ、
前記記録手段は、変更後の前記排泄後オムツ画像を記録することを特徴とする請求項１乃至３のいずれか一項に記載の介護記録装置。
【請求項５】
前記表示制御手段は、タッチパネルの表示画面上に、前記被介護者の顔の写真又は絵、及び氏名を含む前記被介護者情報であって、複数人の前記被介護者情報を含む被介護者表示領域を構成し、当該被介護者表示領域の表示を制御し、
前記表示制御手段は、前記記録手段を参照して、
前記被介護者の最新の排泄後オムツ画像に含まれる前記アイコンが便である場合には、前記タッチパネルの前記被介護者表示領域に、便アイコンと、当該最新の前記排泄後オムツ画像に対応付けて記録された前記時刻情報に基づいて算出された現在時刻までの経過時間を、前記被介護者情報と共に表示し、
前記被介護者の最新の排泄後オムツ画像に含まれる前記アイコンが尿である場合には、前記タッチパネルの前記被介護者表示領域に、尿アイコンと、前記経過時間を、前記被介護者情報と共に表示することを特徴とする請求項１乃至４のいずれか一項に記載の介護記録装置。
【請求項６】
前記被介護者表示領域に表示された複数人の前記被介護者情報のうち、時系列表示対象の一の前記被介護者情報の選択を前記タッチパネル上で受け付ける対象者選択受付手段を有し、
前記表示制御手段は、前記対象者選択受付手段にて前記一の被介護者情報が選択されると、前記記録手段を参照して、選択された前記被介護者情報に対応する前記排泄記録情報に基づいて、前記排泄後オムツ画像に含まれる前記アイコンが便である場合には便アイコンを、前記排泄後オムツ画像に含まれる前記アイコンが尿である場合には尿アイコンを、前記タッチパネル上に、時系列的に所定日数分表示することを特徴とする請求項５に記載の介護記録装置。
【請求項７】
被介護者の食事に関する情報を記録する記録手段を備える介護記録装置であって、
タッチパネルの表示画面上に、食事台画像を表示する食事台表示領域と、食事の量又は食べ残し量を示すイラスト又は画像による複数のアイコンを表示するアイコン表示領域と、を含む食事状況表示記録領域を構成し、当該食事状況表示記録領域の表示を制御する表示制御手段と、
前記タッチパネルの前記アイコン表示領域に表示された複数の前記アイコンのうち、少なくとも一のアイコンの選択を前記タッチパネル上で受け付ける選択受付手段と、
前記選択受付手段にて選択されたアイコンについて、前記食事台表示領域に表示された前記食事台画像上への配置を前記タッチパネル上で受け付ける配置受付手段と、を有し、
前記配置受付手段にて前記アイコンの配置を受け付けると、
前記表示制御手段は、前記タッチパネルの前記食事台表示領域に、前記アイコンが配置された後の食事台である食事後食事台画像を表示し、かつ、
前記記録手段は、当該食事後食事台画像と、食事をした時間を示す時刻情報と、を食事記録情報として、各前記被介護者を示す被介護者情報ごとに対応付けて記録することを特徴とする介護記録装置。
【請求項８】
複数の介護食の種類を、前記アイコンの画像と夫々対応付けて記憶する介護食種記憶手段と、
食事記録対象の前記被介護者に割り当てられた介護食の種類の入力を前記タッチパネル上で受け付ける介護食種入力受付手段を有し、
前記介護食種入力受付手段により介護食の種類の入力を受け付けると、
前記表示制御手段は、前記介護食種記憶手段を参照して、前記アイコン表示領域に、受け付けた介護食の種類に対応する前記アイコンを表示することを特徴とする請求項７に記載の介護記録装置。
【発明の詳細な説明】
【技術分野】
【０００１】
本発明は、介護の現場等において用いられる介護記録に関し、特に、排泄及び食事に関する情報を視覚的にわかりやすく記録、表示する介護記録装置に関する。
【背景技術】
【０００２】
従来より、介護サービスの現場において、被介護者に提供される介護サービスの実施状況を介護者が記録している。介護記録に関し、種々の特許出願、実用新案登録出願がされている（例えば、特許文献１参照）。
【先行技術文献】
【特許文献】
【０００３】
【特許文献１】実用新案登録第３１９１４３９号公報
【発明の概要】
【発明が解決しようとする課題】
【０００４】
被介護者の排泄及び食事の情報をノート等へ記録することは、被介護者の排泄習慣、健康状態を把握するために必須作業となっている。それにも関わらず、介護現場では、介護者人員不足の問題、被介護者の増加等、様々な問題により、記録のための時間を十分取れないことがある。そのため、実際には、介護者は、おむつ交換対応の際、又は、交換対応の後に、急いで記録することが多かった。しかも、記録の際の表現方法は各介護者に委ねられているケースが多い。例えば、ある介護者は目視で推測した大凡の重さを予測して定量的に（例：「１００ｇ」）に記載し、別の介護者は「バナナ１本分」、「おにぎり１個分」などと記載するなど、各介護者が基準を持たずに記載している。
介護者によっては解釈や表現が変わるため、文章表記による記録では正確性に問題が生じるおそれもある。特に、文章表現の苦手な介護者にあっては、曖昧な表現や意味が理解できない文章、誤解を招くような表記となってしまうおそれもある。また、そもそも「○○○ｍｌ」、「○○ｇ」等という定量的な記録は直観的にその量を把握しづらいという問題もある。
したがって、介護の現場において、被介護者に対する適確な支援を行うためには、被介護者の排泄及び食事に関する情報を的確に把握することが重要であるにもかかわらず、介護者間において、被介護者の排泄及び食事に関して、客観的かつ容易に把握することは困難であった。
【０００５】
本発明は、上記課題等を解決すべく、被介護者の排泄及び食事に関する情報を視覚的にわかりやすく記録、表示して、的確に把握することが可能な介護記録装置を提供することにある。
【課題を解決するための手段】
【０００６】
本発明の介護記録装置は、被介護者の排泄に関する情報を記録する記録手段を備える介護記録装置であって、タッチパネルの表示画面上に、オムツ画像を表示するオムツ表示領域と、排泄の量を示すイラスト又は画像による複数のアイコンを表示するアイコン表示領域と、を含む排泄状態表示記録領域を構成し、当該排泄状態表示記録領域の表示を制御する表示制御手段と、前記タッチパネルの前記アイコン表示領域に表示された複数の前記アイコンのうち、少なくとも一のアイコンの選択を前記タッチパネル上で受け付ける選択受付手段と、前記選択受付手段にて選択されたアイコンについて、前記オムツ表示領域に表示された前記オムツ画像上への配置を前記タッチパネル上で受け付ける配置受付手段と、を有し、前記配置受付手段にて前記アイコンの配置を受け付けると、前記表示制御手段は、前記タッチパネルの前記オムツ表示領域に、前記アイコンが配置された後のオムツである排泄後オムツ画像を表示し、かつ、前記記録手段は、当該排泄後オムツ画像と、オムツ替え対応した時間を示す時刻情報と、を排泄記録情報として、前記被介護者を示す被介護者情報ごとに対応付けて記録することを特徴とする。
【０００７】
複数のオムツの種類を、当該オムツを開いた状態の前記オムツ画像と夫々対応付けて記憶するオムツ種記憶手段と、排泄記録対象の前記被介護者が着用するオムツの種類の入力を前記タッチパネル上で受け付けるオムツ種入力受付手段を有し、前記オムツ種入力受付手段によりオムツの種類の入力を受け付けると、前記表示制御手段は、前記オムツ種記憶手段を参照して、前記オムツ表示領域に、受け付けた種類のオムツの前記オムツ画像を表示するよう構成してもよい。
【０００８】
各前記アイコンが示す排泄の量を、各前記アイコンに対応づけて記憶する排泄量記憶手段と、前記排泄量記憶手段を参照して、前記選択受付手段にて選択された前記アイコンに対応する排泄量を算出する排泄量算出手段と、を有し、前記表示制御手段は、前記排泄後オムツ画像と共に、前記排泄量算出手段により算出された排泄量を表示し、前記記録手段は、前記排泄後オムツ画像に対応付けて、前記排泄量算出手段により算出された排泄量を記録するよう構成してもよい。
【０００９】
前記排泄が軟便又は血便又は血尿であることの記録を前記タッチパネル上で受け付ける排泄状態情報記録受付手段を有し、前記排泄状態情報記録受付手段にて軟便の記録を受け付けると、前記表示制御手段は、前記排泄後オムツ画像に配置されたアイコンを軟便状態を示す軟便状態表示画像に変更し、かつ、前記記録手段は、変更後の前記排泄後オムツ画像を記録し、前記排泄状態情報記録受付手段にて血便又は血尿の記録を受け付けると、前記表示制御手段は、前記排泄後オムツ画像に配置されたアイコンを血便又は血尿を示す血便血尿表示画像に変更し、かつ、前記記録手段は、変更後の前記排泄後オムツ画像を記録するよう構成してもよい。
【００１０】
前記表示制御手段は、タッチパネルの表示画面上に、前記被介護者の顔の写真又は絵、及び氏名を含む前記被介護者情報であって、複数人の前記被介護者情報を含む被介護者表示領域を構成し、当該被介護者表示領域の表示を制御し、前記表示制御手段は、前記記録手段を参照して、前記被介護者の最新の排泄後オムツ画像に含まれる前記アイコンが便である場合には、前記タッチパネルの前記被介護者表示領域に、便アイコンと、当該最新の前記排泄後オムツ画像に対応付けて記録された前記時刻情報に基づいて算出された現在時刻までの経過時間を、前記被介護者情報と共に表示し、前記被介護者の最新の排泄後オムツ画像に含まれる前記アイコンが尿である場合には、前記タッチパネルの前記被介護者表示領域に、尿アイコンと、前記経過時間を、前記被介護者情報と共に表示するよう構成してもよい。
【００１１】
前記被介護者表示領域に表示された複数人の前記被介護者情報のうち、時系列表示対象の一の前記被介護者情報の選択を前記タッチパネル上で受け付ける対象者選択受付手段を有し、前記表示制御手段は、前記対象者選択受付手段にて前記一の被介護者情報が選択されると、前記記録手段を参照して、選択された前記被介護者情報に対応する前記排泄記録情報に基づいて、前記排泄後オムツ画像に含まれる前記アイコンが便である場合には便アイコンを、前記排泄後オムツ画像に含まれる前記アイコンが尿である場合には尿アイコンを、前記タッチパネル上に、時系列的に所定日数分表示するよう構成してもよい。
【００１２】
本発明の介護記録装置は、被介護者の食事に関する情報を記録する記録手段を備える介護記録装置であって、タッチパネルの表示画面上に、食事台画像を表示する食事台表示領域と、食事の量又は食べ残し量を示すイラスト又は画像による複数のアイコンを表示するアイコン表示領域と、を含む食事状況表示記録領域を構成し、当該食事状況表示記録領域の表示を制御する表示制御手段と、前記タッチパネルの前記アイコン表示領域に表示された複数の前記アイコンのうち、少なくとも一のアイコンの選択を前記タッチパネル上で受け付ける選択受付手段と、前記選択受付手段にて選択されたアイコンについて、前記食事台表示領域に表示された前記食事台画像上への配置を前記タッチパネル上で受け付ける配置受付手段と、を有し、前記配置受付手段にて前記アイコンの配置を受け付けると、前記表示制御手段は、前記タッチパネルの前記食事台表示領域に、前記アイコンが配置された後の食事台である食事後食事台画像を表示し、かつ、前記記録手段は、当該食事後食事台画像と、食事をした時間を示す時刻情報と、を食事記録情報として、各前記被介護者を示す被介護者情報ごとに対応付けて記録するよう構成してもよい。
【００１３】
複数の介護食の種類を、前記アイコンの画像と夫々対応付けて記憶する介護食種記憶手段と、食事記録対象の前記被介護者に割り当てられた介護食の種類の入力を前記タッチパネル上で受け付ける介護食種入力受付手段を有し、前記介護食種入力受付手段により介護食の種類の入力を受け付けると、前記表示制御手段は、前記介護食種記憶手段を参照して、前記アイコン表示領域に、受け付けた介護食の種類に対応する前記アイコンを表示るよう構成してもよい。
【発明の効果】
【００１４】
本発明によれば、被介護者の排泄及び食事に関する情報を視覚的にわかりやすく記録、表示して、的確に把握することができる。
【図面の簡単な説明】
【００１５】
【図１】タブレット端末装置１０の内部構成を示すブロック図である。
【図２】排泄状態表示記録領域１０４の説明図である。
【図３】アイコン配置動作の一例を示す説明図である。
【図４】（Ａ）乃至（Ｃ）排泄後オムツ画像１４１Ａの例である。
【図５】（Ａ）乃至（Ｅ）排泄後オムツ画像１４１Ａの例である。
【図６】排泄後オムツ画像１４１Ａと排泄量の表示例である。
【図７】オムツ種入力画面の一例である。
【図８】介護記録の表示例を示す説明図である。
【図９】排泄検知システムによる検知の表示の説明図である。
【図１０】「利用者様一覧」の表示例である。
【図１１】タブレット端末装置２０の内部構成を示すブロック図である。
【図１２】食事状況表示記録領域２４０の説明図である。
【図１３】介護食種入力画面の一例である。
【発明を実施するための形態】
【００１６】
本発明の介護記録装置としてタブレット端末装置を用いる。タブレット端末装置は、板状の筐体からなり、持ち運びがしやすいサイズであるため、場所を選ばずに使用することができる。
また、タブレット端末装置１０は、コンピュータ本体としての処理機能とともに、タッチセンサと表示部とが一体化されたタッチパネルを有している。このタッチパネルに対して、介護者の指やタブレット用ペンによって入力が行われると、タブレット端末装置１０では、当該入力に応じた各種の処理が行われる。
【００１７】
図１は、タブレット端末装置の内部構成を示すブロック図である。図２は、タブレット端末装置のタッチパネルに表示される排泄状態表示記録領域の説明図である。
図１に示すように、タブレット端末装置１０は、制御部１０１、メモリ部１０２、操作部１０３、タッチパネル１０４、スピーカ１０５、記録手段としての記録部１０６、通信部１０７、カメラ部１０８、及び、電源部１０９から構成される。制御部１０１は、タブレット端末装置１０の各部の動作を制御する。メモリ部１０２は、制御部１０１からの制御に従い、各種のデータを一時的に保持する。
【００１８】
タブレット端末装置１０は、タッチパネル１０４の表示画面上に、オムツ画像１４１を表示するオムツ表示領域１４０Ａと、排泄の量を示すイラスト又は画像による複数のアイコン１４２を表示するアイコン表示領域１４０Ｂと、を含む排泄状態表示記録領域１４０を構成し、当該排泄状態表示記録領域１４０の表示を制御する表示制御手段１０１Ａと、タッチパネル１０４のアイコン表示領域１４０Ｂに表示された複数のアイコン１４２のうち、少なくとも一のアイコン１４２の選択をタッチパネル上で受け付ける選択受付手段１０１Ｂと、選択受付手段１０１Ｂにて選択されたアイコン１４２について、オムツ表示領域１４０Ａに表示されたオムツ画像１４１上への配置をタッチパネル１０４上で受け付ける配置受付手段１０１Ｃと、を有し、配置受付手段１０１Ｃにてアイコン１４２の配置を受け付けると、表示制御手段１０１Ａは、タッチパネル１０４のオムツ表示領域１４０Ａに、アイコン１４２が配置された後のオムツである排泄後オムツ画像１４１Ａを表示し、記録部１０６は、当該排泄後オムツ画像１４１Ａと、オムツ替え対応した時間を示す時刻情報と、を排泄記録情報として、被介護者を示す被介護者情報に対応付けて記録する。
【００１９】
操作部１０３は、タブレット端末装置１０に設けられた電源ボタン、音量ボタン等であり、介護者の操作に応じて操作信号を制御部１０１に供給する。制御部１０１は、操作部１０３からの操作信号に応じて、各部の動作を制御する。
【００２０】
タッチパネル１０４は、表示部１０４Ｂと、表示部１０４Ｂの表示画面上に重畳されるタッチセンサ１０４Ａとから構成される。表示部１０４Ｂは、液晶ディスプレイ（LCD：Liquid Crystal Display）等で構成され、制御部１０１からの制御に従い、各種の情報を表示する。また、タッチセンサ１０４Ａは、指、タブレット用ペン等を用いてタッチパネル１０４に対して行われる入力操作を、その操作が行われた場所のタッチパネル１０４上での位置とともに検出し、その検出信号を制御部１０１に供給する。
【００２１】
ここで、タッチセンサ１０４Ａによって検出される入力操作には、例えば、アイコン１４２の選択の際等にタブレット端末装置１０を操作する介護者の指をタッチパネル１０４の表面に接触させる操作がある。また、例えばアイコン１４２の配置の際等に、指をタッチパネル１０４の表面に接触させたまま移動させる操作、指をタッチパネル１０４の表面から離す操作などがある。
なお、タッチパネル１０４では、例えば、静電容量方式や電磁誘導方式などの各種の検出方式を採用することができる。
スピーカ１０５は、制御部１０１からの制御に従い、音声を出力する。
【００２２】
記録部１０６は、例えばHDD（Hard Disk Drive）等から構成される。記録部１０６は、制御部１０１からの制御に従い、各種のデータを記録する。記録部１０６のデータ領域には、例えば、被介護者の名前、性別、生年月日、顔写真、着用オムツ種、投薬情報等の被介護者情報が記憶されている。後述する動作により、排泄後オムツ画像１４１Ａと、オムツ替え対応した時間を示す時刻情報と、が排泄記録情報として、被介護者情報に対応付けて記憶される。
【００２３】
通信部１０７は、制御部１０１からの制御に従い、ネットワークを介して各種のサーバ（不図示）（排泄検知システムに含まれるサーバを含む）と通信を行う。カメラ部１０８は、レンズ等により構成される。電源部１０９は、蓄電池又は外部電源から得られる電源電力を、制御部１０１を含む各部に供給する。
【００２４】
制御部１０１は、表示制御手段１０１Ａ、選択受付手段１０１Ｂ、配置受付手段１０１Ｃ、排泄状態情報記録受付手段１０１Ｄ、排泄量算出手段１０１Ｅ、オムツ種入力受付手段１０１Ｆ、対象者選択受付手段１０１Ｇ、及び、撮影画像取得手段１０１Ｈを含んで構成される。
【００２５】
制御部１０１の表示制御手段１０１Ａは、表示部１０４Ｂの表示画面上に、排泄状態表示記録領域１４０を構成し、当該排泄状態表示記録領域１４０の表示を制御する。
図２では、その具体的な使用方法として、介護者がオムツ替え対応をした際に、タブレット端末装置１０にて排泄状態を記録する場面を想定している。
【００２６】
タッチパネル１０４の表示部１０４Ｂの表示画面に構成された排泄状態表示記録領域１４０（図中、破線で表示）は、オムツ表示領域１４０Ａ（図中、一点鎖線で表示）及びアイコン表示領域１４０Ｂ（図中、二点鎖線で表示）を含んで構成される。表示制御手段１０１Ａは、オムツ表示領域１４０Ａに、オムツ画像１４１を表示させる。オムツ画像１４１は、イラスト等の絵又は写真である。また、実際のオムツを開いた状態で載置させ、カメラ部１０８によって撮影し、撮影画像を制御部１０１の撮影画像取得手段１０１Ｈにて取得してもよい。表示制御手段１０１Ａは、アイコン表示領域１４０Ｂに、便又は尿の排泄の量を示すイラスト又は画像による複数のアイコン１４２を表示させる。
【００２７】
図２の例では、便又は尿の排泄の量を示すイラストのアイコン１４２として、「おにぎり」、「おはぎ」、「バナナ」、「モンキーバナナ」、「まめ１０つぶ」、「ちゃわん」、「どんぶり」、「両手いっぱい」、「こぶし」、「おやゆび」、「コップ」、を示した。それぞれ、「おにぎり１個分の排便の量」、「バナナ１本分の排便の量」、「モンキーバナナ１本分の排便の量」、「まめ１０つぶ分の排便の量」、「ちゃわん１杯分の排便の量」、「どんぶり１杯分の排便の量」、「両手いっぱい程度の排便の量」、「こぶし大程度の排便の量」、「コップ１杯の排尿の量」、「おやゆび大程度の排便の量」を意味する。アイコン画像をイラストで表示することにより、介護者に対し視覚的にわかり易く示すことができる。
【００２８】
なお、排尿を示すアイコン１４２は、「コップ」だけでなく、「尿（量多目）」、「尿（量ふつう）」、「尿（量少な目）」を示す「ジョッキ」の画像、「３４５ｍｌペットボトル」の画像、「ティーカップ」の画像など、複数用意してもよい。さらに、カメラ部１０８によって実際の排泄後のオムツを撮影し、撮影画像を制御部１０１の撮影画像取得手段１０１Ｈにて取得し、表示制御手段１０１Ａが排泄後オムツ１４１Ａとして使用してもよい。
【００２９】
制御部１０１の選択受付手段１０１Ｂは、アイコン表示領域１４０Ｂに表示された複数のアイコン１４２のうち、少なくとも一のアイコン１４２の選択をタッチパネル１０４上で受け付ける。そして、制御部１０１の配置受付手段１０１Ｃは、選択受付手段１０１Ｂにて選択されたアイコン１４２の、オムツ表示領域１４０Ａに表示されたオムツ上への配置をタッチパネル１０４上で受け付ける。具体的には、アイコン表示領域１４０Ｂに表示された複数のアイコン１４２のうち、介護者が指で、一のアイコン１４２に接触すると、選択受付手段１０１Ｂは、タッチセンサ１０４Ａからの検出信号に基づいて、アイコン１４２の選択を受け付ける。そして、指をタッチパネル１０４の表面、即ち、選択したアイコン１４２上に接触させたまま操作し、オムツ表示領域１４０Ａのオムツ画像１４１上の地点で指をタッチパネル１０４の表面から離す操作を行うと、配置受付手段１０１Ｃは、タッチセンサ１０４Ａからの検出信号に基づいて、当該アイコン１４２の配置を受け付ける。表示制御手段１０１Ａは、配置受付手段１０Ｃによるアイコン配置後のオムツの画像を排泄後オムツ画像１４１Ａとしてオムツ表示領域１４０Ａに表示する。
図３は、アイコン配置動作の一例を示す説明図である。同図は、「おはぎ」のアイコン１４２が選択され、当該「おはぎ」のアイコン１４２をオムツ画像１４１上に配置した（図中破線矢印）、排泄後オムツ画像１４１Ａの表示例を示す。
【００３０】
記録部１０６は、排泄後オムツ画像１４１Ａを排泄記録情報として記録する。具体的には、排泄後オムツ画像１４１Ａとオムツ替え対応した時間を示す時刻情報を、被介護者情報に対応付けて記録する。なお、時刻情報は、コンピュータ内の値を取り込んでもよく、介護者がタッチパネル１０４上で入力するよう構成してもよい。
このような構成により、介護者は、例えば排便の量が「バナナ１本分」である場合には、「バナナ」のアイコン１４２を１回だけオムツ画像１４１上に配置させ、バナナ２本分である場合には、「バナナ」のアイコン１４２を２回、オムツ画像１４１上に配置させる。このような排泄後オムツ画像１４１Ａを表示させることにより、介護者は直観的にその量を把握することができる。
【００３１】
図４に排泄後オムツ画像１４１Ａの例を示す。図４（Ａ）、（Ｂ）、（Ｃ）に示すように、排泄後オムツ画像１４１Ａは、排泄物の量だけでなく、オムツ画像１４１Ａ上の排泄物の位置を示すこともできるので、オムツのサイズ、オムツの装着状態の適否を判断する支援材料となる。また、オムツ漏れも、アイコン１４２をオムツ外にはみ出させることで表現することができる（図４（Ａ））。
【００３２】
＜排泄状態の記録＞
更に、血尿又は血便の有無、軟便の記録など、介護者の排泄状態を表示、記録するよう構成してもよい。また、図２乃至図４では、排尿の記録の際にアイコン１４２を使用したが、以下に説明するように、排泄が尿であることを示すボタン１４３の選択により排泄状態として受け付けてもよい。
本実施例の制御部１０１は、排泄状態情報記録受付手段１０１Ｄを有する。排泄状態表示記録領域１４０に排泄の状態を示す情報入力の受付ボタン１４３を構成する。
排泄状態情報記録受付手段１０１Ｄは、排泄が軟便又は血便又は血尿であることの記録をタッチパネル１０４上で受け付ける。図２及び図３の例は、さらに、排泄が尿であることの記録、オムツと共に補助パットを使用していることの記録も排泄状態として受け付ける例である。
【００３３】
排泄状態情報記録受付手段１０１Ｄにて軟便の記録を受け付けると、表示制御手段１０１Ａは、排泄後オムツ画像１４１Ａに配置されたアイコン１４２を軟便状態を示す軟便状態表示画像に変更する。そして、記録手段１０６は、変更後の排泄後オムツ画像１４１Ａを記録する。また、排泄状態情報記録受付手段１０１Ｄにて血便又は血尿の記録を受け付けると、表示制御手段１０１Ａは、排泄後オムツ画像１４１Ａに配置されたアイコン１４２を血便又は血尿を示す血便血尿表示画像に変更する。そして、記録部１０６は、変更後の排泄後オムツ画像１４１Ａを記録する。
図２では、排泄が水分の多い軟便（下痢）であったことを示すボタン（軟便）、排泄に血液があったことを示すボタン（血）、排泄が尿であったことを示すボタン（尿）、オムツと共に補助パットを使用していることを示すボタン（＋パッド）、を排泄状態情報を入力するための排泄状態情報入力受付ボタン１４３（以下、「ボタン１４３」という。）の一例として示したが、介護サービスの種類に応じて追加、変更可能である。
なお、尿を示すボタン１４３は、その量に応じて「尿（量多目）」、「尿（量ふつう）」、「尿（量少な目）」を夫々用意してもよい。
【００３４】
例えば、介護者が指で、タッチパネル１０４上のボタン１４３に接触すると、選択受付手段１０１Ｂは、タッチセンサ１０４Ａからの検出信号に基づいて、当該ボタン１４３の選択を受け付ける。そして、表示制御手段１０１Ａは、排泄後オムツ画像１４１Ａに配置されたアイコン１４２を、選択受付手段１０１Ｂにて受け付けたボタン１４３に対応する画像に変更し、変更後の排泄後オムツ画像１４１Ａをオムツ表示領域１４０Ａに表示させる。そして、記録部１０６は、変更後の排泄後オムツ画像１４１Ａを排泄記録情報として被介護者情報と対応付けて記録する。
例えば、記録部１０６に各アイコン１４２の画像と、各アイコン１４２の各ボタン１４３に対応する変更後の画像を夫々データベースに対応づけて記憶しておき、ボタン１４３が選択された際に、表示制御手段１０１Ａは、選択されたボタン１４３に対応する変更後の画像を抽出して表示させるよう構成する。
【００３５】
図５に排泄後オムツ画像１４１Ａの例を示す。
図５（Ａ）は、排泄物のアイコン１４２として「おはぎ」のアイコンを配置（図２の排泄後オムツ１４１Ａ）した後、排泄が水分の多い軟便（下痢）であったことを示すボタン１４３を選択した際に、オムツ表示領域１４０Ａに表示される排泄後オムツ画像１４１Ａである。図示のように「おはぎ」のイラストが水でつぶれたような様子を表現する画像を表示する。
図５（Ｂ）は、排泄物のアイコン１４２として「おはぎ」のアイコンを配置した後、排泄に血液があったことを示す排泄状態情報入力受付ボタン１４３を選択した際に、オムツ表示領域１４０Ａに表示される排泄後オムツ画像１４１Ａである。
図５（Ｃ）は、排泄が尿であったことを示すボタン１４３を選択した際に、オムツ表示領域１４０Ａに表示される排泄後オムツ画像１４１Ａである。また、排泄物のアイコン１４２として「コップ」のアイコンを配置した際にも、図５（Ｃ）に示す排泄後オムツ画像１４１Ａが表示される。
図５（Ｄ）は、排泄が尿であったことを示すボタン１４３と、排泄に血液があったことを示すボタン１４３を選択した際に、オムツ表示領域１４０Ａに表示される排泄後オムツ画像１４１Ａである。また、排泄物のアイコン１４２として「コップ」のアイコンを配置した後、排泄に血液があったことを示すボタン１４３を選択した際にも、図５（Ｄ）に示す排泄後オムツ画像１４１Ａが表示される。
図５（Ｅ）は、排泄物のアイコン１４２として「おはぎ」のアイコンを配置（図２の排泄後オムツ１４１Ａ）した後、オムツと共に補助パットを使用していることを示す排泄状態情報入力受付ボタン１４３を選択した際に、オムツ表示領域１４０Ａに表示される排泄後オムツ画像１４１Ａである。
【００３６】
変更後の排泄後オムツ画像１４１Ａは、オムツ替え対応した時間を示す時刻情報と共に被介護者情報に対応づけて排泄記録情報として記録部１０６に記録される。
このように、排泄の状態を的確に排泄後オムツ画像１４１Ａとして表示させ、記録することができる。
【００３７】
＜排泄量の算出＞
各アイコン１４２から排泄量を算出して表示、記録するよう構成してもよい。
記録部１０６を排泄量記憶手段として機能させ、各アイコン１４２が示す排泄の量（ｍｌ、ｇ）を各アイコン１４２に対応づけて記憶させる。
そして、制御部１０１の排泄量算出手段１０１Ｅにより、記録部１０６を参照して、選択受付手段１０１Ｂにて選択されたアイコン１４２に対応する排泄量を算出する。
表示制御手段１０１Ａは、排泄後オムツ画像１４１Ａと共に、排泄量算出手段１０１Ｅにより算出された排泄量を表示させる。図６は排泄後オムツ画像１４１Ａと排泄量の表示例である。同図の例では、記録部１０６に「おはぎ」のアイコンに排泄量「７０ｇ」が対応付けて記憶されている場合に、排泄量算出手段１０１Ｅが排泄量「１４０ｇ」（「おはぎ」のアイコン１４２が２個、７０ｇ×２個＝１４０ｇ）と算出し、表示している。
記録部１０６は、排泄後オムツ画像１４１Ａと、算出した排泄量と、オムツ替え対応した時間を示す時刻情報を、被介護者情報に対応づけて記録する。
【００３８】
＜オムツ種の選択＞
さらに、排泄記録対象の被介護者が着用するオムツの種類を選び、当該オムツの形、大きさを反映したオムツ画像１４１（図２）を表示するよう構成してもよい。
図７は表示部１０４Ｂの表示画面に表示されたオムツ種入力画面の一例である。
図７に示すように、タッチパネル１０４の表示部１０４Ｂに、複数のオムツの種類（オムツ画像１４１、又は、商品名１４１Ｂ等）を表示する。記録部１０６を、オムツ種記憶手段として機能させ、複数のオムツの種類を、当該オムツを開いた状態のオムツ画像１４１と夫々対応付けて記憶する。そして、制御部１０１のオムツ種入力受付手段１０１Ｆにより排泄記録対象の被介護者が着用するオムツの種類の入力をタッチパネル１０４上で受け付けると、表示制御手段１０１Ａは、記録部１０６を参照して、オムツ表示領域１４０Ａに、受け付けた種類のオムツのオムツ画像１４１を表示する。
【００３９】
例えば、介護者が指で、タッチパネル１０４上のオムツ種（オムツ画像１４１、又は、商品名１４１Ｂ等）に接触すると、制御部１０１のオムツ種入力受付手段１０１Ｆは、タッチセンサ１０４Ａからの検出信号に基づいて、オムツ種の選択を受け付ける。そして、表示制御手段１０１Ａは、記録部１０６を参照して、オムツ種入力受付手段１０１Ｆにて受け付けた種類のオムツ画像１４１をオムツ表示領域１４０Ａ（図２）に表示させる。
このような構成により、各被介護者が着用しているオムツのオムツ画像１４１をオムツ表示領域１４０Ａに表示させることができるので、排泄後には、より正確な排泄後オムツ画像１４１Ａを表示し、記録することができる。
【００４０】
＜介護記録表示＞
上述したように、介護記録装置としてのタブレット端末装置１０によれば、排泄後オムツ画像１４１Ａを被介護者情報等と対応付けて記録するよう構成したので、各被介護者の介護記録を当該排泄後オムツ画像１４１Ａと共に表示させることができる。
次に、図８乃至図１０を参照して、介護記録表示の具体的な手法について説明する。
【００４１】
図８は、介護記録の表示例を示す説明図である。
タブレット端末装置１０のタッチパネル１０４から介護記録表示の選択がされ、介護記録の表示が指示されると、制御部１０１の表示制御手段１０１Ａは、タッチパネル１０４の表示画面上に被介護者の顔の写真又はイラスト等の絵及び氏名を含む被介護者情報１５０ａであって、複数人の被介護者情報１５０ａを含む被介護者表示領域１５０を構成して表示制御する。表示制御手段１０１Ａは、記録部１０６を参照して、被介護者の最新の排泄後オムツ画像１４１Ａに含まれるアイコン１４２が便である場合には、タッチパネル１０４の被介護者表示領域１５０に、便アイコン１５０ｂと、当該最新の排泄後オムツ画像１４１Ａに対応付けて記録された時刻情報に基づいて算出された現在時刻までの経過時間１５０ｄを、被介護者情報１５０ａと共に表示する。また、表示制御手段１０１Ａは、被介護者の最新の排泄後オムツ画像１４１Ａに含まれるアイコン１４２が尿である場合には、タッチパネルの被介護者表示領域１５０に、尿アイコン１５０ｃと、経過時間１５０ｄを、被介護者情報１５０ａと共に表示するよう構成する。
【００４２】
図８の例では、タッチパネル１０４の被介護者表示領域１５０に、７名の被介護者の介護記録が表示されている。
被介護者情報１５０ａとして、被介護者の顔写真及び氏名が表示されている。そして、表示制御手段１０１Ａは、記録部１０６を参照して、各被介護者情報に対応付けて記録された排泄後オムツ画像１４１Ａのうち、時刻情報が最新である排泄後オムツ画像１４１Ａに含まれるアイコン１４２に基づいて、排泄のアイコン（便アイコン１５０ｂ又は／及び尿アイコン１５０ｃ）を表示する。排泄後オムツ画像１４１Ａに含まれるアイコン１４２が便である場合には、便アイコン１５０ｂを、尿である場合には尿アイコン１５０ｃを表示する。
さらに、最新の排泄後オムツ画像１４１Ａが対応付けられていた最新の時刻情報に基づいて、現在時刻までの経過時間１５０ｄを表示する。
このように、被介護者情報１５０ａ、排泄のアイコン、経過時間１５０ｄを対応付けて表示させることで、「近藤〇夫様は、５分前の１７時３４分に排便及び排尿があった」等、被介護者の最新の排泄の状況をわかり易く表示させることができる。
【００４３】
さらに、最新の排泄記録情報に基づき、被介護者のオムツのサイズがＬサイズであるか否かを判定し、Ｌサイズであった場合には、被介護者情報１５０ａとして「オムツサイズＬ」を示すＬアイコン１５０ｅを表示させてもよい（図８）。これにより、図８からは、「オムツのサイズがＬサイズの近藤〇夫様は、５分前の１７時３４分に排便及び排尿があった」こと等がわかる。
【００４４】
さらに、被介護者の介護状況を時系列で表示さてもよい。
制御部１０１の対象者選択受付手段１０１Ｇは、被介護者表示領域１５０に表示された複数人の被介護者情報１５０ａのうち、時系列表示対象の一の被介護者情報１５０ａの選択をタッチパネル１０４上で受け付ける。そして、表示制御手段１０１Ａは、対象者選択受付手段１０１Ｇにて一の被介護者情報１５０ａが選択されると、記録部１０６を参照して、選択された被介護者情報１５０ａに対応する排泄記録情報に基づいて、排泄後オムツ画像１４１Ａに含まれるアイコン１４２が便である場合には便アイコン１５０ｂを、排泄後オムツ画像１４１Ａに含まれるアイコン１４２が尿である場合には尿アイコン１５０ｃを、タッチパネル１０４上に、時系列的に所定日数分表示するよう構成する。
【００４５】
図８は、タッチパネル１０４の被介護者表示領域１５０に表示された被介護者情報１５０ａのうち、「安藤〇子様」が選択された場合の表示例である。表示制御手段１０１Ａは、記録部１０６の「安藤〇子様」の排泄記録情報を参照して、所定日数分の排泄記録情報を、排泄のアイコン（便アイコン１５０ｂ又は／及び尿アイコン１５０ｃ）を使用して時系列的に表示する。
更に、介護者の指をタッチパネル１０４の表面に接触させることにより、排泄のアイコンを選択すると、その排泄記録情報に対応する排泄後オムツ画像１４１Ａをポップアップ表示させるよう構成してもよい。時刻情報を共に表示させてもよい。また、図８に示すように、排泄後オムツ画像１４１Ａは、縮小版１５０ｆ（サムネイル画像）を表示させてもよい。
【００４６】
更に、被介護者に投薬された医薬品の情報を排泄記録情報として被介護者情報等と対応付けて記録してもよい。そして、投薬情報１５０ｇを排泄のアイコンと共に表示するよう構成してもよい。
図８の例では、「安藤〇子様は、３時間前に排尿があり、かつ、「ラキソ〇ン３錠」を投薬した」ことと、「安藤〇子様は、１５分前に排便があったこと」等がわかる。つまり、投薬後に排便があったことが分かる。
【００４７】
＜排泄検知システムの利用＞
更に、近年開発が進んでいる排泄検知システムからの検知信号をタブレット端末装置１０が受信して対応する場合の表示の手法について説明する。
排泄検知システムは、例えば、本願発明者による特許出願「排泄検知システム」（特開2013-078566）等、従来公知のシステムを用いる。排泄検知システムは、被介護者のオムツやベッド等に設置された排泄検知センサ（温度センサ、においセンサ、湿度センサ等）が、当該被介護者の排泄を検知すると、排泄の種類が尿である場合には検知信号を、排泄の種類が便である場合には便検知信号を、コンピュータ等に送信するよう構成されている。
【００４８】
タブレット端末装置１０の通信部１０７がネットワークを介して排泄検知システムのコンピュータから当該検知信号を受信すると、制御部１０１の表示制御手段１０１Ａは、検知信号が尿検知信号である場合には、尿アイコン１５０ｃを、検知信号が便検知信号である場合には便アイコン１５０ｂを、検知時間１５０ｈと共に、タッチパネル１０４上の各被介護者の被介護者情報１５０ａに対応付けて表示させる（図９）。検知時間１５０ｈは、通信部１０７が検知信号を受信した時刻から現在時刻までの経過時間である。
【００４９】
また、図９の「センサー利用者通知」の例のように、各被介護者の検知信号の履歴を表示するよう構成してもよい。図９の「センサー利用者通知」からは、例えば、「近藤〇夫様の排泄検知センサは、３０分前に尿検知信号を検知した。」こと等がわかる。
【００５０】
さらに、従来公知の排泄予測手法により、記録部１０６に記録された排泄記録情報に基づいて排泄予測を行ってもよい。そして、制御部１０１の表示制御手段１０１Ａは、その結果を「予測データ」として表示してもよい（図９）。
また、制御部１０１の表示制御手段１０１Ａは、「最近の出来事」として、現在時刻から過去の所定時間分の各被介護者の排泄状況を時系列で表示させてもよい。
【００５１】
そして、介護者がタブレット１４０上で「利用者様一覧」のアイコン１６０を選択することにより、被介護者の被介護者情報１５０ａと、被介護者の検知状況を表示させるよう構成する。
図１０は「利用者様一覧」の表示例である。
図に示すように、検知信号を受信した場合には、検知時間１５０ｈと、検知した信号に対応するアイコン（便アイコン１５０ｂ又は／及び尿アイコン１５０ｃ）が、被介護者情報１５０ａに対応付けて表示される。そして、介護者がオムツ替え対応を行う際に、介護者の操作によりタブレット１４０上で被介護者情報１５０ａが表示されている領域１７０ａ（図中、一点鎖線で表示）が選択されると、表示制御手段１０１Ａがタブレット１４０上に排泄状態表示記録領域１４０を表示し、排泄の表示記録を受け付ける（図２）。
【００５２】
また、図１０の例では、検知信号を受信していない被介護者に係る被介護者情報１５０ａと対応付けて対応記録アイコン１５０ｊを備えた。介護者により対応記録アイコン１５０ｊが選択されると、表示制御手段１０１Ａは、記録部１０６に記憶された排泄記録情報を参照して、所定日数分の排泄記録情報を、排泄のアイコンを使用して時系列的に表示する（図８）。
【００５３】
さらに、図１０の例に示すように、検知信号を受信していない被介護者に係る被介護者情報１５０ａと対応付けて、予測排泄時間１５０ｋを表示させてもよい。予測排泄時間１５０ｋは、例えば、従来公知の排泄予測手法により予測した時間である。予測排泄時間１５０ｋは、予測された排泄が排便である場合には、便アイコン１５０ｂと対応付けて表示され、予測された排泄が排尿である場合には、尿アイコン１５０ｃと、対応付けて表示する。
【００５４】
＜食事量の記録＞
上述した排泄記録の手法を食事記録に適用することもできる。
図１１は、タブレット端末装置の内部構成を示すブロック図である。図１２は、タブレット端末装置の表示画面に表示される食事状況表示記録領域の説明図である。
図１１のタブレット端末装置２０は、図１と同様に制御部２０１、メモリ部１０２、操作部１０３、タッチパネル１０４、スピーカ１０５、記録部１０６、通信部１０７、カメラ部１０８、及び、電源部１０９から構成される。タブレット端末装置２０について、図１〜図１０を用いて説明したタブレット端末装置１０と同様の構成、機能については説明を省略する場合がある。
【００５５】
タブレット端末装置２０は、タッチパネル１０４の表示画面上に、食事台画像２４１を表示する食事台表示領域２４０Ａと、食事の量又は食べ残し量を示すイラスト又は画像による複数のアイコン２４２を表示するアイコン表示領域２４０Ｂと、を含む食事状況表示記録領域２４０を構成し、当該食事状況表示記録領域２４０の表示を制御する表示制御手段２０１Ａと、タッチパネル１０４のアイコン表示領域２４０Ｂに表示された複数のアイコン２４２のうち、少なくとも一のアイコン２４２の選択をタッチパネル上で受け付ける選択受付手段２０１Ｂと、選択受付手段２０１Ｂにて選択されたアイコンについて、食事台表示領域２４０Ａに表示された食事台画像２４１上への配置をタッチパネル１０４上で受け付ける配置受付手段２０１Ｃと、を有し、配置受付手段２０１Ｃにてアイコン２４２の配置を受け付けると、表示制御手段１０１Ａは、タッチパネル１０４の食事台表示領域２４０Ａに、アイコン２４２が配置された後の食事台である食事後食事台画像を表示し、記録部１０６は、当該食事後食事台画像と、食事をした時間を示す時刻情報と、を食事記録情報として、被介護者を示す被介護者情報に対応付けて記録する。
【００５６】
記録部１０６のデータ領域には、例えば、被介護者の名前、性別、生年月日、顔写真、介護食種等の被介護者情報が記憶されている。介護食種とは、普通食、咀嚼が困難な被介護者向けのソフト食、咀嚼困難又は消化管疾患等の被介護者向けのミキサー食等である。後述する動作により、食事後食事台画像と、食事をした時間を示す時刻情報と、が食事記録情報として、被介護者情報に対応付けて記憶される。
【００５７】
制御部２０１は、表示制御手段２０１Ａ、選択受付手段２０１Ｂ、配置受付手段２０１Ｃ、介護食種入力受付手段２０１Ｆ、対象者選択受付手段２０１Ｇ、及び、撮影画像取得手段２０１Ｈを含んで構成される。
【００５８】
制御部２０１の表示制御手段２０１Ａは、表示部１０４Ｂの表示画面上に、排泄状態表示記録領域１４０を構成し、当該排泄状態表示記録領域１４０の表示を制御する。
図１２では、その具体的な使用方法として、被介護者が介護食を食べた後、介護者が膳を下げる際等にタブレット端末装置２０にて食事状況を記録する場面を想定している。
タッチパネル１０４の表示部１０４Ｂの表示画面に構成された食事状況表示記録領域２４０（図中、破線で表示）は、食事台表示領域２４０Ａ（図中、一点鎖線で表示）及びアイコン表示領域２４０Ｂ（図中、二点鎖線で表示）を含んで構成される。表示制御手段２０１Ａは、食事台表示領域２４０Ａに、食事台画像２４１を表示させる。食事台画像２４１は、被介護者の食事が配膳されるトレー、皿等のイラスト等の絵又は写真である。表示制御手段２０１Ａは、アイコン表示領域２４０Ｂに、食事の量又は食べ残し量を示すイラスト又は画像による複数のアイコン２４２を表示させる。
【００５９】
図１２の例では、食事の量を示すイラストのアイコン２４２として、「おかゆ  小」、「おかゆ  中」、「おかゆ  大」、「バナナ」、「おにぎり」を示した。それぞれ、「おかゆ小盛り分の食事の量」、「おかゆ中盛り分の食事の量」、「おかゆ大盛り分の食事の量」、「バナナ１本分の食事の量」、「おにぎり１個分の食事の量」を意味する。アイコン画像をイラストで表示することにより、介護者に対し視覚的にわかり易く示すことができる。
【００６０】
さらに、カメラ部１０８によって実際の食事を撮影し、撮影画像を制御部２０１の撮影画像取得手段２０１Ｈにて取得し、表示制御手段２０１Ａが食事後食事台画像として表示してもよい。
制御部２０１の選択受付手段２０１Ｂ及び配置受付手段２０１Ｃによる、アイコン２４２の選択、配置の手法は、上述した制御部１０１の選択受付手段１０１Ｂ及び配置受付手段１０１Ｃと同様のため説明を省略する。
【００６１】
記録部１０６は、食事後食事台画像を食事記録情報として記録する。具体的には、食事後食事台画像と食事をした時間を示す時刻情報を、被介護者情報に対応付けて記録する。
【００６２】
図１２では、食事のイラストをアイコン２４２として用いたが、食事を残した量をイラスト等にしてアイコン２４２として用いてもよい。さらに、カメラ部１０８によって食事の品目（おかゆ椀、味噌汁椀、おかず皿等）を夫々撮影し、撮影画像を撮影画像取得手段２０１Ｈにて取得し、アイコン２４２として用いてもよい。
【００６３】
以上の構成により、介護者は、例えば食事の量が「バナナ１本とおかゆ小」である場合には、「バナナ」のアイコン２４２と「おかゆ小」のアイコン２４２を１回づつ食事台画像２４１上に配置させる。そして、配置後の食事台である食事後食事台画像を表示させることにより、介護者は直観的に食事の量を把握することができる。
【００６４】
＜介護食種の選択＞
さらに、食事記録対象の被介護者の介護食種を選び、当該介護食を反映した食事の品目のアイコン２４２をアイコン表示領域２４０Ｂに表示するよう構成してもよい。
図１３は、介護食種入力画面の一例である。図１３に示すように、タッチパネル１０４に、複数の介護食の種類（介護食種）２４１Ｂを表示する。記録部１０６を、介護食種記憶手段として機能させ、複数の介護食種２４１Ｂを、アイコン２４２の画像と夫々対応付けて記憶する。そして、制御部２０１の介護食種入力受付手段２０１Ｆにより介護記録対象の被介護者に割り当てられた介護食の種類の入力をタッチパネル１０４上で受け付けると、表示制御手段２０１Ａは、記録部１０６を参照して、アイコン表示領域２４０Ａに、受け付けた介護食の種類に対応するアイコン２４２を表示する。
【００６５】
例えば、介護者が指で、タッチパネル１０４上の介護食種２４１Ｂに接触することにより、介護食種２４１Ｂの選択を受け付け、対応するアイコン２４２が表示される。
このような構成により、各被介護者向けの食事品目に応じたアイコンのみが表示されるので、アイコン表示領域２４０Ｂが見やすくなり、かつ、介護者による誤選択を防ぐこともできる。
【００６６】
上述したように、介護記録装置としてのタブレット端末装置２０によれば、食事後食事台画像を被介護者情報等と対応付けて記録するよう構成したので、各被介護者の介護記録を当該食事後食事台画像と共に表示させることができる。介護記録表示の具体的な手法は図８乃至図１０を用いて説明した手法と同様であるため説明を省略する。
【００６７】
本発明の適用範囲は上記実施形態に限定されることはない。本発明は、被介護者の排泄及び食事に関する情報を視覚的にわかりやすく記録、表示することができる介護記録装置に対し、広く適用することができる。
【符号の説明】
【００６８】
１０、２０  タブレット端末装置（介護記録装置）
１０１  制御部
１０１Ａ  表示制御手段
１０１Ｂ  選択受付手段
１０１Ｃ  配置受付手段
１０１Ｄ  排泄状態情報記録受付手段
１０１Ｅ  排泄量算出手段
１０１Ｆ  オムツ種受付手段
１０１Ｇ  対象者選択受付手段
１０１Ｈ  撮影画像取得手段
１０４  タッチパネル（１０４Ａ  タッチセンサ、１０４Ｂ  表示部）
１０６  記録部
１０７  通信部
１４２  アイコン
１４０  排泄状態表示記録領域  （１４０Ａ  オムツ表示領域、１４０Ｂ  アイコン表示領域）
２０１  制御部
２０１Ａ  表示制御手段
２０１Ｂ  選択受付手段
２０１Ｃ  配置受付手段
２０１Ｆ  介護食種受付手段
２０１Ｇ  対象者選択受付手段
２０１Ｈ  撮影画像取得手段
２４２  アイコン
２４０  食事状況表示記録領域  （２４０Ａ  食事台表示領域、２４０Ｂ  アイコン表示領域）
【図１】
2018147104.tif 000003
【図２】
2018147104.tif 000004
【図３】
2018147104.tif 000005
【図４】
2018147104.tif 000006
【図５】
2018147104.tif 000007
【図６】
2018147104.tif 000008
【図７】
2018147104.tif 000009
【図８】
2018147104.tif 000010
【図９】
2018147104.tif 000011
【図１０】
2018147104.tif 000012
【図１１】
2018147104.tif 000013
【図１２】
2018147104.tif 000014
【図１３】
2018147104.tif 000015